(57)【要約】  【課題】施工誤差があっても部材に無理な力を加えることなく簡単に調整することができ、コストも低廉で済む接合装置を提供する。  【解決手段】可動側部材１の先端部に軸方向に移動自在に嵌合され所定位置で固定される軸部７を有し、軸部７の先端にＴ字形となるように円筒形のハンマー部８が形成されてなるハンマー型ジョイント部材３と、ハンマー部８の軸線を中心としてハンマー型ジョイント部材３が所定角度範囲で回動可能なように、ハンマー部８を含む軸部７先端を包み込むようにして配置される球状部材４と、固定側部材２に設けられ、球状部材４を受け入れる球面座５と、球面座５に受け入れられた球状部材４の外周にハンマー型ジョイント部材３の回動を許容するように配置され、固定側部材２に固定されることにより球状部材４を球面座５上の所定位置に保持する固定部材６とを備えてなる。  【選択図】  図１
2005188195.tif 000002
【特許請求の範囲】
【請求項１】
棒状の可動側部材を固定側部材に所定角度範囲で回動可能なように接合するための接合装置であって、
前記可動側部材の先端部に軸方向に移動自在に嵌合され所定位置で固定される軸部を有し、この軸部の先端にＴ字形となるように円筒形のハンマー部が形成されてなるハンマー型ジョイント部材と、
前記ハンマー部の軸線を中心として前記ハンマー型ジョイント部材が所定角度範囲で回動可能なように、前記ハンマー部を含む前記軸部先端を包み込むようにして配置される球状部材と、
前記固定側部材に設けられ、前記球状部材を受け入れる球面座と、
前記球面座に受け入れられた前記球状部材の外周に前記ハンマー型ジョイント部材の前記回動を許容するように配置され、前記固定側部材に固定されることにより前記球状部材を前記球面座上の所定位置に保持する固定部材と
を備えてなる接合装置。
【請求項２】
前記ハンマー型ジョイント部材の前記軸部は、前記可動側部材にねじにより嵌合されていることを特徴とする請求項１記載の接合装置。
【請求項３】
前記ハンマー型ジョイント部材の前記軸部と前記可動側部材との間に、これらの相対位置を微調整するための調整部材がねじにより嵌合されていることを特徴とする請求項２記載の接合装置。
【請求項４】
前記球状部材はその直径を含む面で２分割された２つの分割球状部材からなり、各分割球状部材には前記ハンマー部を含む軸部先端を包み込むための嵌合部が形成されていることを特徴とする請求項１又は２記載の接合装置。
【請求項５】
前記固定側部材は変位増幅型制振装置におけるコーナー用接合部材であり、前記可動側部材は同制振装置におけるブレース部材であることを特徴とする請求項１〜４のいずれか１に記載の接合装置。
【発明の詳細な説明】
【技術分野】
【０００１】
この発明は、接合装置に関し、さらに詳細には、例えば建物や構造物の架構に組み込まれる変位増幅型制振装置において、コーナー用接合部材にブレース部材を所定角度範囲で回動自在に連結するための接合装置に関する。
【背景技術】
【０００２】
制振技術の１つとして、建物や構造物の架構に組み込まれ、地震などの際に層間に生じる変位を増幅してダンパーに伝達する変位増幅型制振装置が知られている（例えば、特許文献１参照）。
【０００３】
このような変位増幅型制振装置において、ブレース部材が架構のコーナー部に回動自在に連結されている。具体的には、コーナー部にブレース部材の接合金物を連結するためのブラケットを予め取り付けておき、このブラケットにピンを介して連結している。
【０００４】
しかし、新築時の建物や構造物の架構には施工誤差が生じる。このような施工誤差が生じると、接合金物とブラケットとの連結部にピンを入れることが不可能になるなど、組み立てができなくなる場合がある。このため、従来は接合金物にライナーなどを挟むなどしてピンの位置を強制的に調整していた。しかし、調整は難しく、また部材に無理な力がかかる場合があり、さらにはコストもかかるという問題点を含んでいた。
【特許文献１】特開平１０−１６９２４４号公報
【発明の開示】
【発明が解決しようとする課題】
【０００５】
この発明は上記のような技術的背景に基づいてなされたものであって、次の目的を達成するものである。
この発明の目的は、施工誤差があっても部材に無理な力を加えることなく簡単に調整することができ、コストも低廉で済む接合装置を提供することにある。
【課題を解決するための手段】
【０００６】
この発明は上記課題を達成するために、次のような手段を採用している。
すなわち、この発明は、棒状の可動側部材を固定側部材に所定角度範囲で回動可能なように接合するための接合装置であって、
前記可動側部材の先端部に軸方向に移動自在に嵌合され所定位置で固定される軸部を有し、この軸部の先端にＴ字形となるように円筒形のハンマー部が形成されてなるハンマー型ジョイント部材と、
前記ハンマー部の軸線を中心として前記ハンマー型ジョイント部材が所定角度範囲で回動可能なように、前記ハンマー部を含む前記軸部先端を包み込むようにして配置される球状部材と、
前記固定側部材に設けられ、前記球状部材を受け入れる球面座と、
前記球面座に受け入れられた前記球状部材の外周に前記ハンマー型ジョイント部材の前記回動を許容するように配置され、前記固定側部材に固定されることにより前記球状部材を前記球面座上の所定位置に保持する固定部材と
を備えてなる接合装置にある。
【０００７】
より具体的には、前記ハンマー型ジョイント部材の前記軸部は、前記可動側部材にねじにより嵌合されている。前記ハンマー型ジョイント部材の前記軸部と前記可動側部材との間に、これらの相対位置を微調整するための調整部材がねじにより嵌合されている構成を採ることもできる。
【０００８】
前記球状部材はその直径を含む面で２分割された２つの分割球状部材からなり、各分割球状部材には前記ハンマー部を含む軸部先端を包み込むための嵌合部が形成されている。  前記固定側部材は変位増幅型制振装置におけるコーナー用接合部材であり、前記可動側部材は同制振装置におけるブレース部材である。
【発明の効果】
【０００９】
この発明によれば、固定側部材に対して固定部材を緩めておくことにより、球状部材は球面座上を全方向に関して自由に回転できる。したがって、施工誤差があっても可動側部材の向きを自由に調整できる。調整後、固定部材によって球状部材を球面座上の所定位置に保持すると球状部材は動かなくなるが、ハンマー型ジョイント部材はハンマー部の軸線を中心として回動自在であるので、ピンと同様に機能させることができる。
【００１０】
以上のように、この発明によれば、施工誤差があっても部材に無理な力を加えることなく簡単に調整することができ、コストも低廉で済む。
【発明を実施するための最良の形態】
【００１１】
図１は、この発明の実施形態を示す軸方向断面図、図２は分解斜視図、図３は図１のＡ−Ａ線断面図である。この実施の形態は、この発明を変位増幅型制振装置におけるブレース部材１とコーナー用接合金物２との接合に適用した例である。ブレース部材１は可動側部材に該当し、またコーナー用接合金物２は架構のコーナー部に配置され、固定側部材に該当する。
【００１２】
接合装置はハンマー型ジョイント部材３、球状部材４、球面座５及び固定金物６を備えている。ハンマー型ジョイント部材３は軸部７を有し、この軸部７の先端にはＴ字形となるように円筒形のハンマー部８が形成されている。軸部７はその後部外周に形成されたねじ部９によってブレース部材１の内周に嵌合され、両者は軸方向に相対移動自在である。ブレース部材１の先方において軸部７の外周にねじ嵌合された部材１０は止め金物である。この止め金物１０を止めねじ２５で軸部７に固定することにより、ブレース部材１に対してハンマー型ジョイント部材３が所定位置に固定される。
【００１３】
球状部材４はその直径を含む面で２分割された２つの分割球状部材４ａ，４ａからなっている。各分割球状部材４ａには分割面及び外周球面に開口する嵌合穴１１が設けられ、また分割面には嵌合溝１２が設けられている。これら嵌合穴１１及び嵌合溝１２を介して各分割球状部材４ａは、ハンマー部８を含む軸部７の先端を包み込むように嵌合される。なお、ハンマー部８の両端面は球状部材４の外周球面と一致する凸状球面に形成されている。
【００１４】
球状部材４が軸部７の先端に嵌合された状態で、嵌合溝１２の内周面と軸部７との間に遊隙が形成される。これによりハンマー型ジョイント部材３は球状部材４に対してハンマー部８の軸線を中心として所定角度範囲で回動自在である。
【００１５】
球面座５は円筒形の部材であり、端部に上記球状部材４を受け入れる凹状球面１３が形成されている。この球面座５はコーナー用接合金物２に形成された嵌合穴１４に嵌合され、六角穴付きボルト１５により固定される。
【００１６】
固定金物６も円筒形の部材であり、軸線を含む面で２分割された２つの分割円筒部材６ａ，６ａからなっている。各分割円筒部材６ａの内周には球状部材４を受け入れる凹状球面１６と、これに連なる嵌合溝１７が形成されている。嵌合溝１７にはハンマー型ジョイント部材３の軸部７の先端が嵌合されるが、ハンマー型ジョイント部材３の回動を許容するように、嵌合溝１７の内周面と軸部７との間には遊隙が形成される。各分割円筒部材６ａはコーナー用接合金物２の嵌合穴１４に嵌合され、外周に形成されたねじ部１８により接合金物２に固定される。
【００１７】
上記のような接合装置によれば、固定金物６を緩めておくことにより、球状部材４は球面座５上を全方向に関して自由に回転できる。したがって、施工誤差があってもブレース部材１の向きを自由に調整できる。そして、調整後、固定金物６を締め付けることにより、球状部材４を球面座５に向けて押圧し、所定位置に保持する。この結果、球状部材４は動かなくなるが、ハンマー型ジョイント部材３はハンマー部８の軸線を中心として回動自在であるので、従来のピンと同様に機能し、変位増幅型制振装置は所期の目的どおりの性能を発揮することができる。
【００１８】
なお、固定金物６による固定後の球状部材４の動きを確実に止めるために、凹状球面１３，１６及び球状部材４の周面に粗面処理を施すようにしてもよい。
【００１９】
図４は別の実施形態を示す軸方向断面図である。この実施形態は、ハンマー型ジョイント部材３の軸部７とブレース部材１との間に、内外周にねじ部１９，２０を有する調整金物２１を嵌合させたものである。ねじ部１９，２０は互いに逆ねじとなっていて、調整金物２１を回すことにより、ブレース部材１とハンマー型ジョイント部材３との相対位置を微調整することができる。
【００２０】
上記実施形態は例示にすぎず、この発明は種々の態様を採ることができる。例えば、上記実施形態は、この発明を建物や構造物に組み込まれる変位増幅型制振装置におけるブレース部材とコーナー用接合金物との接合に適用したものであるが、施工誤差を吸収したうえで所定角度範囲で回動自在とする接合一般に適用できる。
【図面の簡単な説明】
【００２１】
【図１】この発明の実施形態を示す軸方向断面図である。
【図２】同実施形態のものの分解斜視図である。
【図３】図１のＡ−Ａ線断面図である。
【図４】別の実施形態を示す軸方向断面図である。
【符号の説明】
【００２２】
１      ブレース部材
２      コーナー用接合金物
３      ハンマー型ジョイント部材
４      球状部材
４ａ    分割球状部材
５      球面座
６      固定金物
６ａ    分割円筒部材
７      軸部
８      ハンマー部
１０      止め金物
１１      嵌合穴
１２      嵌合溝
１３      凹状球面
１４      嵌合穴
１６      凹状球面
１７      嵌合溝
２１      調整金物
【図１】
2005188195.tif 000003
【図２】
2005188195.tif 000004
【図３】
2005188195.tif 000005
【図４】
2005188195.tif 000006